(57)【特許請求の範囲】
【請求項１】
取付部材への取付けが可能な表示装置において、
前記取付部材への取付けを誘導するための音声を出力する手段と、
自装置が前記取付部材に取付けられたか否かを判断する判断手段と、
該判断手段により前記取付部材に取付けられたと判断した場合、その旨を報知する手段と
を備えることを特徴とする表示装置。
【請求項２】
発光部と、
該発光部が発する光を受光する受光部と
を備え、
前記判断手段は、前記受光部が前記発光部からの光を受光したか否かに基づき、前記取付部材に取付けられたか否かを判断するようにしてあることを特徴とする請求項１に記載の表示装置。
【請求項３】
請求項１又は請求項２に記載の表示装置と、
テレビ放送信号を受信する受信手段と
を備え、
該受信手段にて受信したテレビ放送信号に基づくテレビ画像を前記表示装置に表示するようにしてあることを特徴とするテレビジョン受像機。
【発明の詳細な説明】
【技術分野】
【０００１】
本発明は、取付部材への取付けが可能な表示装置及びテレビジョン受像機に関する。
【背景技術】
【０００２】
液晶テレビ受像機、プラズマテレビ受像機等を含む薄型の表示装置には、スタンドにより床面又はラックに据置きされる据置きタイプ、及び壁掛け金具により壁体に取付けられる壁掛けタイプが存在する。
【０００３】
据置きタイプは、前後スパンが比較的長いスタンドを用いて表示装置の前後方向への転倒を防ぐように構成されるため、壁寄せに支障を来し、壁面との間に比較的広い空間が発生することになる。
【０００４】
壁掛けタイプは、壁面には枠形をなす壁面取付金具が取付けられ、表示装置の後面には掛止金具が取付けられ、該掛止金具が壁面取付金具に掛止されることにより壁掛けされる構成になっている。壁面取付金具としては、例えば、特許文献１及び２に開示されているようなものが知られている。
【先行技術文献】
【特許文献】
【０００５】
【特許文献１】特許第４２８２０１０号公報
【特許文献２】特開２００４−３０５７２３号公報
【発明の概要】
【発明が解決しようとする課題】
【０００６】
上述したような薄型の表示装置を壁掛けする際、表示装置の後面に設けられた差止金具を、壁面側に取付けた壁面取付金具に正しく差し込む必要があるため、表示装置側の差止金具と壁面側の壁面取付金具との位置関係を確認しながら、壁掛け作業を行うことが多い。
【０００７】
しかしながら、表示装置を壁掛けする場合、壁面と表示装置との間の隙間は狭いため、その隙間から覗き込んだとしても、表示装置側の差止金具と壁面側の壁面取付金具との位置関係を把握することは困難である。また、大型の表示装置では、表示装置を持ち上げたまま、表示装置の後面側を覗き込むこと自体が困難となる。
【０００８】
このため、表示装置を壁面に取付ける壁掛け作業は、手間が掛かることが多く、ユーザに大きな負担を強いることになるという問題点を有していた。
また、表示装置側の差止金具と壁面側の壁面取付金具との間の位置合わせが正確でない場合には、壁掛け作業が完了したとユーザが判断し、手を離した際に、表示装置が落下する場合があるという問題点を有していた。
【０００９】
本願は、斯かる事情に鑑みてなされたものであり、表示装置を取付部材に取付ける作業を行っているユーザに対し、取付けが完了した場合に取付けられた旨を報知する手段を備えることで、ユーザが手を離してよいタイミングを通知できる表示装置及びテレビジョン受像機を提供することを目的とする。
また、壁面側に設けられる取付部材の基準位置に対する変位を検出し、検出した変位に基づいて取付位置へ誘導する音声を出力することにより、表示装置の取付作業における位置合わせを容易に実施することが可能な表示装置及びテレビジョン受像機を提供することを目的とする。
【課題を解決するための手段】
【００１０】
本願に係る表示装置は、取付部材への取付けが可能な表示装置において、前記取付部材への取付けを誘導するための音声を出力する手段と、自装置が前記取付部材に取付けられたか否かを判断する判断手段と、該判断手段により前記取付部材に取付けられたと判断した場合、その旨を報知する手段とを備えることを特徴とする。
【００１１】
本願では、表示装置が取付部材へ取付けられた場合、その旨が報知されるため、ユーザが手を放してよいタイミングが適切に通知される。
また、本願では、表示装置を取付部材へ誘導するための音声を出力するので、ユーザは表示装置の背面側を覗き込んで取付位置を確認しながら取付け作業を実施する必要がなくなり、取付作業時における作業負担が軽減される。
【００１２】
本願に係る表示装置は、発光部と、該発光部が発する光を受光する受光部とを備え、前記判断手段は、前記受光部が前記発光部からの光を受光したか否かに基づき、前記取付部材に取付けられたか否かを判断するようにしてあることを特徴とする。
【００１３】
本願では、取付完了を判断するための構成として発光部及び受光部を備えており、例えば、取付完了位置にて取付部材の一部が発光部から受光部に至る光の経路を遮る構成とした場合、受光状態から非受光状態への変化を受光部にて検知することで、取付けられたことを判断することができる。
【００１６】
本願に係るテレビジョン受像機は、前述した発明の何れか１つに記載の表示装置と、テレビ放送信号を受信する受信手段とを備え、該受信手段にて受信したテレビ放送信号に基づくテレビ画像を前記表示装置に表示するようにしてあることを特徴とする。
【００１７】
本願では、液晶テレビ受像機、プラズマテレビ受像機等のテレビジョン受像機（テレビジョン受信装置）へ適用される。
【発明の効果】
【００１８】
本願によれば、表示装置は、取付けられたことを報知するため、取付け不十分による表示装置の落下を防止することができる。
また、本願では、表示装置を取付部材に取付ける際、表示装置を取付部材へ誘導するための音声を出力するので、ユーザは表示装置の背面側を覗き込んで取付位置を確認しながら取付け作業を実施する必要がなくなり、取付作業時における作業負担を軽減することができる。
【図面の簡単な説明】
【００１９】
【図１】本実施の形態に係る表示装置及びこの表示装置を壁面に取付けるための取付部材の外観を示す模式図である。
【図２】取付部材への誘導方法を説明する説明図である。
【図３】取付部材への誘導方法を説明する説明図である。
【図４】取付部材への誘導方法を説明する説明図である。
【図５】表示装置の内部構成を示すブロックである。
【図６】表示装置の動作を説明するフローチャートである。
【図７】表示装置及び取付部材の位置関係に応じて表示部に表示する表示内容の一例を示す図である。
【図８】表示装置及び取付部材の位置関係に応じて表示部に表示する表示内容の一例を示す図である。
【図９】表示装置及び取付部材の位置関係に応じて表示部に表示する表示内容の一例を示す図である。
【図１０】表示装置及び取付部材の位置関係に応じて表示部に表示する表示内容の一例を示す図である。
【図１１】取付部材の他の例を示す外観図である。
【図１２】実施の形態３に係る表示装置及び取付部材を示す模式図である。
【図１３】磁気センサの出力電圧を示すグラフである。
【図１４】取付部材への誘導方法を説明する説明図である。
【図１５】取付部材への誘導方法を説明する説明図である。
【図１６】取付部材への誘導方法を説明する説明図である。
【図１７】実施の形態３に係る表示装置の動作を説明するフローチャートである。
【図１８】本体フレーム及び取付部材の部分拡大断面図である。
【図１９】実施の形態４に係る表示装置の内部構成を示すブロック図である。
【図２０】実施の形態４に係る表示装置の動作を説明するフローチャートである。
【図２１】取付け完了時に表示する表示内容の一例を示す模式図である。
【発明を実施するための形態】
【００２０】
以下、本発明をその実施の形態を示す図面に基づいて具体的に説明する。
実施の形態１．
図１は本実施の形態に係る表示装置及びこの表示装置を壁面に取付けるための取付部材の外観を示す模式図である。本実施の形態に係る表示装置は、例えば、液晶テレビ受像機、プラズマテレビ受像機、液晶モニタ、デジタルフォトフレーム等の薄型の表示デバイスである。以下では、本実施の形態に係る表示装置は、液晶テレビ受像機であるとして説明を行うものとする。
【００２１】
表示装置は、奥行き方向の幅が狭い直方体状の本体フレーム１０を備え、本体フレーム１０の前側には、テレビ画像を表示する表示面を有する。
表示装置は、本体フレーム１０背面側の適宜箇所（例えば、中央付近）にホール素子等の磁気センサ１１が設けられている。更に、本体フレーム１０の背面側には、取付部材２０に係止される係止孔１２，１２が設けられている。係止孔１２，１２は、本体フレーム１０の上下方向の中心線を挟んで、左右対象に設けられており、取付部材２０における壁掛け金具２２，２２の位置にそれぞれ適合するように、位置決めがされている。
【００２２】
取付部材２０は、例えば、ＶＥＳＡ規格（VESA : Video Electronics Standards Association）に準拠した壁面への取付具である。取付部材２０は、壁面へ螺子止めされる金属フレーム２５を備え、この金属フレーム２５に対して垂直方向に立設された壁掛け金具２２，２２が設けられている。壁掛け金具２２，２２の先端部には、上方へ突出した受片２２ａ，２２ａが設けられている。
【００２３】
取付部材２０の壁掛け金具２２，２２は、表示装置の本体フレーム１０における係止孔１２，１２に挿入され、壁掛け金具２２，２２の受片２２ａ，２２ａにより表示装置の本体フレーム１０を係止する。これにより、表示装置の本体フレーム１０は、取付部材２０に取付けられる。
【００２４】
また、取付部材２０は、金属フレーム２５の適宜箇所（図１に示す例では、金属フレーム２５上部の略中央）に磁石２１を備える。本実施の形態では、本体フレーム１０に設けた磁気センサ１１により、取付部材２０の磁石２１の位置を検出し、検出した磁石２１の位置に応じて、本体フレーム１０の取付けを誘導するための情報を表示することを特徴とする。
【００２５】
図２〜４は取付部材２０への誘導方法を説明する説明図である。図２は、表示装置の位置が、取付部材２０に対して本体フレーム１０が左右方向又は上下方向にずれている場合の誘導方法を示している。本実施の形態に係る表示装置は、磁気センサ１１を備えており、この磁気センサ１１にて表示装置外部の磁束密度の分布を検出することにより、取付部材２０の適宜位置に設けられた磁石２１の位置を検出する。この磁気センサ１１により、例えば、磁気センサ１１の位置を原点とした３次元座標系における磁石２１の位置（すなわち、自装置から見た磁石２１の相対位置）を検出する。表示装置は、検出した磁石２１の位置を表示するために、検出した３次元座標を表示面に投影して２次元座標に変換し、変換した２次元座標に対応する表示面の位置に磁石２１を表す図形を表示する。図２に示した例では、黒丸ＭＡにより磁石２１の位置を表示装置の表示部１０４に表示している。
【００２６】
また、表示装置は、磁石２１の３次元座標を取得することにより、自装置が本体フレーム１０の左右方向又は上下方向にずれているか否かを検出することができる。左右方向及び上下方向にずれている場合には、例えば、自装置の位置を示す図形及び目標位置を示す図形を表示して、どの方向に移動させるべきかの情報をユーザに提示する。図２に示した例では、自装置の位置を実線の円ＴＳにより表し、目標位置を示す図形を破線の円ＴＡにより表すことにより、表示装置を左方向へ移動させるべき旨をユーザに提示している。
【００２７】
また、本実施の形態では、磁気センサ１１により、取付部材２０における磁石２１の３次元座標を検出するため、取付部材２０に対する本体フレーム１０の前後方向のずれを検出することができる。図３は、表示装置の位置が、取付部材２０に対して本体フレーム１０が前後方向にずれている場合の誘導方法を示している。図２と同様に、検出した磁石２１の位置を示す図形を黒丸ＭＡにより表示し、自装置の位置を実線の円ＴＳ、目標位置を示す図形を破線の円ＴＡにより表示している。図３では、本体フレーム１０と取付部材２０との距離に応じて、自装置の位置を表す円ＴＳの大きさを変更している。本体フレーム１０と取付部材２０との間の距離が短くなるほど、実線の円ＴＳの直径を小さくし、本体フレーム１０と取付部材２０との間の距離が長くなるほど、実線の円ＴＳの直径を大きくして、本体フレーム１０と取付部材２０との間の距離感を表している。
【００２８】
なお、取付けを誘導する際の表示形態は、図２及び図３に示されるものに限定されるものではなく、例えば、矢印等の図形により移動方向を表示するようにしてもよく、また、文字情報により移動方向を表示してもよい。
【００２９】
図４は、本体フレーム１０の位置が目標位置となった場合の表示内容を示している。本実施の形態では、本体フレーム１０背面に設けた２つの係止孔１２，１２の位置が、壁掛け金具２２，２２の受片２２ａ，２２ａにそれぞれ対向するように、表示装置を誘導する。以下では、本体フレーム１０の２つの係止孔１２，１２が壁掛け金具２２，２２の受片２２ａ，２２ａに対向位置となる位置を壁掛け位置と呼ぶ。表示装置が壁掛け位置となった場合、表示装置を前方（取付部材側）へ押出し、更に表示装置を下側へ降ろすことにより、本体フレーム１０は壁掛け金具２２，２２に係止される。そこで、表示装置を誘導することにより、表示装置の位置が壁掛け位置となった場合、図４に示すように、壁掛け金具２２，２２と本体フレーム１０の係止孔１２，１２との位置が合った旨、及び表示装置を前方へ押し出し、その後に下側へ降ろすことにより本体フレーム１０が取付けられる旨を文字情報として表示する。
【００３０】
図５は表示装置の内部構成を示すブロックである。表示装置は、磁気センサ１１、制御部１０１、記憶部１０２、検出部１０３、表示部１０４、及び受信部１１０を備える。
【００３１】
磁気センサ１１は、例えば、ホール素子であり、磁束密度の分布に応じたセンサ信号を出力するセンサである。
検出部１０３は、磁気センサ１１が出力するセンサ信号を取得し、自装置に対する磁石２１の位置（すなわち、磁気センサ１１を原点とする３次元空間内での３次元座標）を算出する。なお、磁気センサ１１を用いた位置座標の算出手法は、公知であるため、その説明を省略することとする。
【００３２】
制御部１０１は、表示装置が備える記憶部１０２、検出部１０３、表示部１０４、及び受信部１１０等のハードウェア各部の動作を制御する。制御部１０１は、ＣＰＵ、マイクロコンピュータ等の演算手段であり、各種の演算処理、判断処理、制御指示等を実行する。例えば、制御部１０１は、検出部１０３によって算出される３次元座標を取得した場合、この３次元座標が所定の範囲内であるか否かの判断を行う。また、制御部１０１は、ユーザに対して情報を提示するために、記憶部１０２に予め記憶された画面イメージを読出し、読出した画面イメージに基づく表示指示を表示部１０４に与える。
【００３３】
記憶部１０２は、フラッシュメモリ等の不揮発性のメモリであり、前述した画面イメージが予め記憶されているものとする。記憶部１０２以外の記憶手段として、制御部による処理の実行時に生成される各種データを一時的に記憶するＲＡＭ等のメモリを更に備える構成であってもよい。
受信部１１０は、テレビ放送信号を受信するための受信手段であり、受信したテレビ放送信号に基づいてテレビ画像を生成する。受信部１１０にて生成されたテレビ画像は、制御部１０１に送出される。制御部１０１は、テレビ画像に基づく表示指示を表示部１０４に与えることにより、表示部１０４にテレビ画像を表示させる。
【００３４】
図６は表示装置の動作を説明するフローチャートであり、図７〜図１０は表示装置及び取付部材２０の位置関係に応じて表示部１０４に表示する表示内容の一例を示す図である。表示装置の検出部１０３は、取付部材２０における所定の取付位置（壁掛け位置）を検出するために、磁気センサ１１が出力するセンサ信号を取得し（ステップＳ１１）、取得したセンサ信号の信号強度が所定値以上であるか否かを判断する（ステップＳ１２）。
【００３５】
取得したセンサ信号の信号強度が所定値未満であると判断した場合（Ｓ１２：ＮＯ）、検出部１０３は、その旨を制御部１０１に通知する。制御部１０１は、磁気センサ１１が出力するセンサ信号の大きさが所定値未満である旨の通知を検出部１０３から受けた場合、図７Ａに示すように、本体フレーム１０及び取付部材２０が離隔しており、この位置関係では本体フレーム１０を取付部材２０に取付けることができない状態にある。本体フレーム１０を取付部材２０に近づけさせる必要があるため、制御部１０１は、その旨を表すメッセージを表示させるための表示指示を行う。例えば、制御部１０１は、「テレビを壁掛け金具に近付けて下さい」とのメッセージを含んだ画面イメージを記憶部１０２から読出し、読出した画面イメージを表示指示と共に表示部１０４へ出力する。
【００３６】
表示部１０４は、制御部１０１からの表示指示を受信した場合、本体フレーム１０を取付部材２０へ誘導する表示を行う（ステップＳ１３）。このとき、表示部１０４は、表示指示と共に制御部１０１から送られてくる画面イメージを表示することにより（図７Ｂを参照）、取付作業を行っているユーザに対し、本体フレーム１０を取付部材２０に近づけるように促す。
【００３７】
なお、ステップＳ１２では、センサ信号の信号強度に基づいて表示装置を近づけるべきか否かの判断を行う構成としたが、センサ信号からは取付部材２０に設けられた磁石２１の３次元座標が得られるため、３次元座標について予め範囲を設定しておき、設定した範囲から外れている場合に、表示装置を取付部材２０に近づけるように促す表示を行ってもよい。
【００３８】
ステップＳ１２において、取得したセンサ信号の信号強度が所定値以上であると判断した場合（Ｓ１２：ＹＥＳ）、検出部１０３は、取得したセンサ信号を、センサ位置を原点とする３次元空間上の位置座標に変換し、検出対象である磁石２１の位置を示す３次元座標を算出する。検出部１０３は、算出した３次元座標を制御部１０１へ通知する。
【００３９】
制御部１０１は、検出部１０３から磁石２１の３次元座標を受信した場合（ステップＳ１４）、本体フレーム１０及び取付部材２０の相対的な位置関係を把握することができるので、本体フレーム１０及び取付部材２０の相対的な位置関係に応じた情報を表示させるための表示指示を表示部１０４へ出力する。
表示部１０４は、制御部１０１からの表示指示を受信した場合、受信した表示指示に従って画面イメージを表示することにより、本体フレーム１０を取付部材２０へ誘導する表示を行う（ステップＳ１５）。
【００４０】
例えば、本体フレーム１０が壁掛け位置から左右方向又は上下方向にずれた位置に存在する場合（図８Ａを参照）、制御部１０１は、ターゲット及びターゲットスコープを表す図形（目標位置及び表示装置の現在位置を表す図形）、並びにターゲットスコープをターゲットに重ね合わせるように指示するメッセージを含んだ画面イメージを生成し、生成した画面イメージを表示指示と共に表示部１０４へ出力する。
表示部１０４は、制御部１０１からの表示指示に従って表示を行うことにより、例えば、図８Ｂに示すような画面を表示する。すなわち、ターゲットスコープをターゲットに重ね合わせるように指示するメッセージを、ターゲット及びターゲットスコープを表す図形と共に表示部１０４に表示することにより、本体フレーム１０を壁掛け位置に誘導する表示を行う。
【００４１】
また、表示装置が壁掛け位置から前後方向（表示装置の表示面に対して垂直な方向）にずれた位置に存在する場合（図９Ａを参照）、ターゲット及びターゲットスコープを表す図形（目標位置及び表示装置の現在位置を表す図形）、並びに表示装置を取付部材２０へ接近（又は離隔）させるべき旨のメッセージを含んだ画面イメージを生成し、生成した画面イメージを表示指示と共に表示部１０４へ出力する。
表示装置は、制御部１０１からの表示指示に従って表示を行うことにより、例えば、図９Ｂに示すような画面を表示する。すなわち、本体フレーム１０を取付部材２０に近づけるように指示するメッセージを、ターゲット及びターゲットスコープを表す図形と共に表示部１０４に表示することにより、本体フレーム１０を壁掛け位置に誘導する表示を行う。
【００４２】
このとき、表示部１０４に表示させるターゲット及びターゲットスコープの大きさを、壁掛け位置からの距離に応じて変更して表示する。本体フレーム１０と取付部材２０との間の距離が短くなるほど、ターゲットスコープを小さくし、本体フレーム１０と取付部材２０との間の距離が長くなるほど、ターゲットスコープを大きくして、本体フレーム１０と取付部材２０との間の距離感を表す。壁掛け位置からの距離が小さくなるにつれて、ターゲットスコープを小さく表示することにより、表示装置と取付部材２０との位置合わせをより精度良く実施させることが可能となる。
【００４３】
次いで、制御部１０１は、本体フレーム１０の現在位置が壁掛け位置であるか否かを判断する（ステップＳ１６）。制御部１０１は、検出部１０３から出力される３次元座標が予め定めた範囲内であるか否かを判断することによって、本体フレーム１０の現在位置が壁掛け位置であるか否かを判断することができる。壁掛け位置でないと判断した場合（Ｓ１６：ＮＯ）、制御部１０１は、処理をステップＳ１１へ戻す。
【００４４】
表示部１０４の画面上でターゲットスコープをターゲットに一致させる誘導を行い、図９Ａに示すように、本体フレーム１０の現在位置が壁掛け位置となったと判断した場合（Ｓ１６：ＹＥＳ）、制御部１０１は、取付けを完了させるための誘導を行うメッセージを含んだ画面イメージを記憶部１０２から読出し、読出した画面イメージを表示指示と共に表示部１０４へ出力する。
表示部１０４は、制御部１０１からの表示指示に従って表示を行うことにより、壁掛け位置となった旨のメッセージを表示し、ユーザに対して取付部材２０への取付けを指示する（ステップＳ１７）。図９Ｂに示す例では、本体フレーム１０が壁掛け位置となった旨、及び取付けを完了させるために表示装置を前方へ押し出し、更に下方へ押し下げることにより、取付部材２０への取付けが完了する旨のメッセージを表示している。
【００４５】
次いで、制御部１０１は、本体フレーム１０の取付けが完了したか否かを判断する（ステップＳ１８）。制御部１０１は、検出部１０３から出力される３次元座標が予め定めた範囲内であるか否かを判断することによって、本体フレーム１０の取付けが完了したか否かを判断することができる。本実施の形態では、取付け完了位置は、前述した壁掛け位置と異なるため、それぞれ判断基準とする範囲を予め定めておくことにより、両者を区別して判断することができる。
【００４６】
ステップＳ１８において、取付けが完了していないと判断した場合（Ｓ１８：ＮＯ）、制御部１０１は、取付けが完了するまで待機する。
取付けが完了したと判断した場合（Ｓ１８：ＹＥＳ）、制御部１０１は、本体フレーム１０の取付けが完了した旨のメッセージを含んだ画面イメージを記憶部１０２から読出し、読出した画面イメージを表示指示と共に表示部１０４へ出力する。
表示部１０４は、制御部１０１からの表示指示に従って表示を行うことにより、本体フレーム１０の取付けが完了した旨のメッセージを表示する（ステップＳ１９）。図１０Ｂに示す例では、本体フレーム１０が取付部材２０に取付けられた旨、及び表示装置から手を放しても大丈夫である旨のメッセージを表示している。また、取付部材２０への取付けが完了した後に、螺子止め等のユーザの作業が必要である場合、その旨を表示する構成としてもよい。
【００４７】
以上のように、本実施の形態では、取付部材２０へ誘導するための情報を表示装置の表示部１０４に表示することにより、ユーザは表示装置の背面側を覗き込んで取付位置を確認しながら取付け作業を実施する必要がなるくなるため、取付作業時の作業性が向上する。
【００４８】
なお、本実施の形態では、表示装置の表示部１０４に取付部材２０へ誘導する情報を表示する構成としたが、表示装置に音声を出力する音声出力部を設け、取付部材２０へ誘導する情報の表示と共に、音声による誘導を行う構成としてもよい。
【００４９】
また、本実施の形態では、取付部材２０における所定位置（磁石２１の位置）を検出するために、磁気センサ１１を用いる構成としたが、磁気センサ１１を用いる代わりに、他の位置検出手段を用いてもよい。たとえば、取付部材２０の適宜の位置にマーカを設け、このマーカの位置を、ＣＣＤカメラ等により得られる画像を解析することによって検出する構成としてもよい。また、取付部材２０の適宜の位置に反射部材、表示装置の背面側に発光装置及び受光装置を設け、発光装置から照射する光の反射光を受光装置にて受光することによって、反射部材の位置を検出する構成としてもよい。
【００５０】
実施の形態２．
実施の形態１では、取付部材２０に対して１つの磁石２１を設ける構成としたが、２つ以上の磁石を設ける構成としてもよい。実施の形態２では、取付部材２０に２つの磁石を設ける構成について説明する。
【００５１】
図１１は取付部材の他の例を示す外観図である。取付部材２０は、実施の形態１と同様に、ＶＥＳＡ規格に準拠した壁面への取付具である。取付部材２０は、壁面へ螺子止めされる金属フレーム２５を備え、この金属フレーム２５に対して立設された壁掛け金具２２，２２が設けられている。壁掛け金具２２，２２の先端部には、上方へ突出した受片２２ａ，２２ａが設けられている。
【００５２】
取付部材２０の壁掛け金具２２，２２は、表示装置の本体フレーム１０における係止孔１２，１２に挿入され、壁掛け金具２２，２２の受片２２ａ，２２ａにより表示装置の本体フレーム１０を係止する。これにより、表示装置の本体フレーム１０は、取付部材２０に取付けられる。
【００５３】
実施の形態２に係る取付部材２０は、金属フレーム２５の適宜の２箇所、図１１に示す例では、金属フレーム２５の上部において左右方向に離隔した２箇所に磁石２１ａ，２１ｂを設けている。
【００５４】
このように、実施の形態２では、取付部材２０に複数の磁石を２１ａ，２１ｂを設けているため、磁気センサ１１の感度を上げない場合であっても、少なくとも一方の磁石２１ａ（２１ｂ）による磁束密度が検出される可能性が高くなる。その結果、取付けの初期段階において、磁石２１ａ，２１ｂの位置を探索するために本体フレーム１０を移動させる範囲が少なくなり、ユーザの作業負担を更に軽減することが可能となる。なお、磁石２１ａ，２１ｂの位置を検出した後の処理は、実施の形態１と全く同様である。
【００５５】
実施の形態２では、金属フレーム２５の適宜の２箇所に磁石２１ａ，２１ｂを設ける構成としたが、２つの壁掛け金具２２，２２自体が磁石であってもよいことは勿論のことである。
【００５６】
実施の形態３．
実施の形態１では、１つの磁気センサ１１の出力を用いて表示装置外部の磁束密度の分布を検出し、磁石２１の３次元座標を算出することで、誘導する方向を定める構成としたが、所定方向の磁界の強さを検出するセンサを複数用いて誘導する方向を定めるようにしてもよい。
実施の形態３では、２つの磁気センサを用いて表示装置の誘導方向を定める構成について説明する。
【００５７】
図１２は実施の形態３に係る表示装置及び取付部材を示す模式図である。実施の形態３に係る表示装置は、本体フレーム１０の左右方向における略中央であって２つの係止孔１２，１２より上側に位置する磁気センサ１１ａと、表示装置の背面から見て右側の係止孔１２の近傍に位置する磁気センサ１１ｂとを備える。磁気センサ１１ａ，１１ｂは共にホール素子であり、磁気センサ１１ａは表示装置の左右方向の磁界の強さを検出し、磁気センサ１１ｂは表示装置の上下方向の磁界の強さを検出するように構成されている。
【００５８】
また、取付部材２０は、金属フレーム２５上部の略中央に位置する磁石２１ａと、取付部材２０の正面から見て左側の壁掛け金具２２の近傍に位置する磁石２１ｂとを備え、表示装置が取付部材２０に取付けられた場合、表示装置側の磁気センサ１１ａと取付部材２０側の磁石２１ａとが対向し、表示装置側の磁気センサ１１ｂと取付部材２０側の磁石２１ｂとが対向するように磁気センサ１１ａ，１１ｂ及び磁石２１ａ，２１ｂの位置決めがなされている。磁石２１ａは、正面から見て左側がＳ極、右側がＮ極となるように配置され、磁石２１ｂは、正面から見て上側がＳ極、下側がＮ極となるように配置されている。
【００５９】
図１３は磁気センサ１１ａの出力電圧を示すグラフである。グラフの横軸は、磁気センサ１１ａにおける検出中心からの磁石の移動位置を示し、縦軸は、磁気センサ１１ａの出力電圧を示している。磁気センサ１１ａが磁石２１ａのＮ極寄りに位置し、Ｎ極の磁界が強い場合、磁気センサ１１ａの出力電圧はＶｃｃ（本実施の形態では、Ｖｃｃ＝５Ｖ）となる。磁気センサ１１ａが磁石２１ａのＮ極に近づいてゆき、磁気センサ１１ａの中心に向かうにつれて磁気センサ１１ａの出力電圧は単調に減少する。磁気センサ１１ａが磁極の中心（Ｓ極及びＮ極の磁界の強さが同一となる部分）に位置する場合、磁気センサ１１ａの出力電圧はＶｃｃの１／２の値となる。磁気センサ１１ａが更に移動した場合、磁気センサ１１ａの出力電圧はＶｃｃ／２から更に単調に減少し、磁気センサ１１ａが磁石２１ａのＳ極から一定距離だけ離れ、Ｓ極の磁界が強くなった場合、出力電圧は略０となる。
【００６０】
なお、図１３では、磁気センサ１１ａと磁石２１ａとの位置関係に基づいて磁気センサ１１ａの出力電圧を説明したが、磁気センサ１１ｂと磁石２１ｂとの位置関係に基づく磁気センサ１１ｂの出力電圧も上述したものと全く同様である。
【００６１】
図１４〜図１６は取付部材への誘導方法を説明する説明図である。図１４Ａ，図１５Ａ及び図１６Ａは、それぞれ磁気センサ１１ａ，１１ｂ及び磁石２１ａ，２１ｂの位置関係を模式的に示している。また、図１４Ｂ，図１５Ｂ及び図１６Ｂは、それぞれ表示装置における表示例を示している。
図１４〜図１６では、取付部材２０は壁などに固定されており、表示装置を移動させることにより取付部材２０への取付けを行うことを想定している。
【００６２】
磁気センサ１１ａ，１１ｂの出力電圧が共に４．５Ｖであったとする。この場合、磁気センサ１１ａ，１１ｂは、それぞれ磁石２１ａ，２１ｂのＮ極寄りに位置するため、図１４Ａに示すように、磁気センサ１１ａ，１１ｂが磁石２１ａ，２１ｂの右下となる配置、すなわち、取付部材２０に対する表示装置の相対位置が正面からみて右下となる配置であることが分かる。
【００６３】
このとき、表示装置は、例えば、図１４Ｂに示すような案内を表示する。図１４Ｂに示す案内では、取付位置を黒丸で示し、表示装置の相対位置を白丸で示している。また、表示装置は、移動方向を矢印で表示すると共に、「テレビを上方向に移動させて下さい」との文字情報を表示している。
【００６４】
ユーザが表示装置を上方向に移動させた結果、磁気センサ１１ａの出力電圧が４．０Ｖ、磁気センサ１１ｂの出力電圧が２．５Ｖとなったとする。この場合、上下方向の磁界の強さを検出する磁気センサ１１ｂの出力電圧がＶｃｃ／２（＝２．５Ｖ）となっているため、上下方向には目標位置（壁掛け位置）に達していることが分かる。一方、左右方向については、表示装置が取付部材２０の右側にずれた状態であることが分かる。
【００６５】
このとき、表示装置は、例えば、図１５Ｂに示すような案内を表示する。図１５Ｂに示す案内では、取付位置を黒丸で示し、表示装置の相対位置を白丸で示している。また、表示装置は、移動方向を矢印で表示すると共に、「テレビを左方向に移動させて下さい」との文字情報を表示している。
【００６６】
ユーザが表示装置を左方向に移動させた結果、磁気センサ１１ａ，１１ｂの出力電圧が共に２．５Ｖとなったとする。この場合、左右方向の磁界の強さを検出する磁気センサ１１ａ及び上下方向の磁界の強さを検出する磁気センサ１１ｂの出力電圧が共にＶｃｃ／２（＝２．５Ｖ）であるため、左右方向及び上下方向が共に目標位置に達していることが分かる。
【００６７】
このとき、表示装置は、例えば、図１６Ｂに示すような案内を表示する。すなわち、表示装置の左右方向及び上下方向が共に目標位置に達した場合、本体フレーム１０背面に設けた２つの係止孔１２，１２が、壁掛け金具２２，２２の受片２２ａ，２２ａにそれぞれ対向する位置となるため、表示装置を前方へ押し出し、その後に下側へ降ろすことにより本体フレーム１０が取付けられる旨を文字情報として表示する。
【００６８】
図１７は実施の形態３に係る表示装置の動作を説明するフローチャートである。実施の形態１と同様にして、表示装置の検出部１０３は、磁気センサ１１ａ，１１ｂが出力するセンサ信号を取得し（ステップＳ１１）、取得したセンサ信号の信号強度が所定値以上であるか否かを判断する（ステップＳ１２）。信号強度が所定値未満である場合（Ｓ１２：ＮＯ）、表示装置を取付部材２０に近づけるように指示を行い（ステップＳ１３）、処理をステップＳ１１へ戻す。
【００６９】
信号強度が所定値以上である場合（Ｓ１２：ＹＥＳ）、検出部１０３は、上下方向の磁界の強さを検出する磁気センサ１１ｂからセンサ信号を取得し（ステップＳ２１）、センサ出力はＶｃｃ／２であるか否かを判定する（ステップＳ２２）。センサ出力がＶｃｃ／２でない場合（Ｓ２２：ＮＯ）、制御部１０１は、上下方向の誘導を行う（ステップＳ２３）。このとき、ステップＳ２１で取得したセンサ信号の電圧がＶｃｃ／２より低い場合、磁気センサ１１ｂが磁石２１ｂの上側に位置していると判断することができるため、表示装置を下側に誘導する表示を行い、センサ信号の電圧がＶｃｃ／２より高い場合、磁気センサ１１ｂが磁石２１ｂの下側に位置していると判断することができるため、表示装置を上側に誘導する表示を行う。上下方向に誘導する表示を行った後、制御部１０１は、処理をステップＳ２１へ戻す。
【００７０】
上下方向の磁界の強さを検出する磁気センサ１１ｂのセンサ出力がＶｃｃ／２となった場合（Ｓ２２：ＹＥＳ）、検出部１０３は、左右方向の磁界の強さを検出する磁気センサ１１ａからセンサ信号を取得し（ステップＳ２４）、センサ出力はＶｃｃ／２であるか否かを判定する（ステップＳ２５）。センサ出力がＶｃｃ／２でない場合（Ｓ２５：ＮＯ）、制御部１０１は、左右方向の誘導を行う（ステップＳ２６）。このとき、ステップＳ２４で取得したセンサ信号の電圧がＶｃｃ／２より低い場合、磁気センサ１１ａが磁石２１ａの左側に位置していると判断することができるため、表示装置を右側に誘導する表示を行い、センサ信号の電圧がＶｃｃ／２より高い場合、磁気センサ１１ａが磁石２１ａの左側に位置していると判断することができるため、表示装置を右側に誘導する表示を行う。左右方向に誘導する表示を行った後、制御部１０１は、処理をステップＳ２４へ戻す。
【００７１】
左右方向の磁界の強さを検出する磁気センサ１１ａのセンサ出力がＶｃｃ／２となった場合（Ｓ２５：ＹＥＳ）、表示装置の左右方向及び上下方向が共に目標位置（壁掛け位置）となるため、図１６Ｂに示すような情報を表示することによって、ユーザに対して取付部材２０への取付けを指示する（ステップＳ１７）。
【００７２】
次いで、制御部１０１は、本体フレーム１０の取付けが完了したか否かを判断する（ステップＳ１８）。取付けが完了していないと判断した場合（Ｓ１８：ＮＯ）、制御部１０１は、取付けが完了するまで待機する。取付けが完了したと判断した場合（Ｓ１８：ＹＥＳ）、制御部１０１は、本体フレーム１０の取付けが完了した旨のメッセージを表示する（ステップＳ１９）。
【００７３】
なお、実施の形態３では、上下方向の位置を誘導した後に、左右方向の位置を誘導する構成としたが、左右方向の位置を誘導した後に、上下方向の位置を誘導する構成としてもよく、上下方向及び左右方向のセンサ信号を同時的に取得し、上下方向の位置及び左右方向の位置を同時的に誘導する構成としてもよい。
【００７４】
また、実施の形態３では、表示装置の表示面における面内の２方向の磁界の強さを検出する磁気センサ１１ａ，１１ｂを用いた構成について説明したが、表示面に垂直な方向の磁界の強さを検出するセンサ（ホール素子）を更に設け、このセンサのセンサ出力に基づき、取付部材２０と接離する方向への誘導を行ってもよい。
【００７５】
実施の形態４．
本実施の形態１では、検出部１０３が検出する３次元座標に基づいて、本体フレーム１０の取付け完了を判断する構成としたが、取付け完了時における取付部材２０を検出するためにセンサ、スイッチ等の検出手段を設け、この検出手段からの出力信号に基づいて、取付け完了を判断する構成としてもよい。
実施の形態４では、取付け完了を判断するために表示装置に検出手段を設けた構成について説明する。
【００７６】
図１８は本体フレーム１０及び取付部材２０の部分拡大断面図である。実施の形態４では、例えば、表示装置の本体フレーム１０における係止孔１２の上端部分に、光を発光する発光部１５と、受光した光の受光レベルに応じた電気信号を出力する受光部１６とを対向させて配置する。表示装置の制御部１０１は、本体フレーム１０の位置が壁掛け位置となったタイミングで、発光部１５に発光指示を与え、光を発光させる。
【００７７】
実施の形態１において説明したように、表示装置を取付部材２０へ誘導し、本体フレーム１０の位置が壁掛け位置となった場合、本体フレーム１０を前方へ押し出し、下側へ降ろすことを指示することにより、本体フレーム１０を壁掛け金具２２へ装着させる。図１８Ａに示すように、本体フレームが１０が壁掛け位置となり、更に前方へ押し出された状態（すなわち、取付け完了前）では、壁掛け金具２２の受片２２ａにより発光部１５からの光が遮られることがない。
【００７８】
一方、本体フレーム１０を下側に降ろし、取付けが完了した場合には、図１８Ｂに示すように、壁掛け金具２２の受片２２ａにより、発光部１５からの光が遮られるので、受光部１６による受光レベルは、図１８Ａの場合と比較して低下する。
【００７９】
そこで、受光部１６が出力する電気信号の大きさに関して閾値を設けることにより、制御部１０１は、取付け完了前の状態（図１８Ａに示す配置関係）と、取付け完了後の状態（図１２Ｂに示す配置関係）とを区別して検出することができる。
【００８０】
図１９は実施の形態４に係る表示装置の内部構成を示すブロック図である。表示装置は、実施の形態１と同様に、磁気センサ１１、制御部１０１、記憶部１０２、検出部１０３、表示部１０４、及び受信部１１０を備える。また、本実施の形態に係る表示装置は、制御部１０１に接続された発光部１５及び受光部１６を備える。
【００８１】
発光部１５は、制御部１０１からの指示により、適宜の強度を有する光を発光するＬＥＤ等の発光手段である。
受光部１６は、発光部１５から照射される光を受光し、受光した光の強度に応じた電気信号を制御部１０１へ出力するフォトダイオード等の受光手段である。
【００８２】
図２０は実施の形態４に係る表示装置の動作を説明するフローチャートである。表示装置の制御部１０１は、実施の形態１と同様の処理を実行することにより、表示装置の本体フレーム１０を取付部材２０の壁掛け位置に誘導し、壁掛け位置となった場合、図９Ｂに示すような画面を表示部１０４に表示して、取付部材２０への取付けを指示する（ステップＳ１１〜Ｓ１７）。
【００８３】
取付部材２０への取付けを指示した後、制御部１０１は、発光部１５に対して発光指示を与える（ステップＳ３１）。発光部１５は、制御部１０１から発光指示が与えられた場合、光を照射する。受光部１６は、発光部１５から照射された光を受光した場合、受光した光を電気信号に変換し、変換した電気信号を制御部１０１へ出力する。
【００８４】
制御部１０１は、受光部１６から出力された電気信号を取得し（ステップＳ３２）、取得した電気信号に基づいて、取付部材２０への取付けが完了したか否かを判断する（ステップＳ１８）。実施の形態４では、取付け指示を行った際に発光部１５に発光指示を与え、発光部１５から光を照射させる。取付け完了時には、取付部材２０の壁掛け金具２２における受片２２ａにより、発光部１５から照射される光の一部が遮られ、受光部１６における受光レベルが低下する。そこで、受光部１６が出力する電気信号の大きさに関して閾値を設定しておき、閾値より大きな信号が得られる場合には、取付部材２０への取付けが完了していないと判断し、閾値より小さな信号が得られる場合には、取付部材２０への取付けが完了したと判断する。
【００８５】
取付部材２０への取付けが完了していないと判断した場合（Ｓ１８：ＮＯ）、制御部１０１は、処理をステップＳ３１へ戻す。
取付部材２０への取付けが完了したと判断した場合（Ｓ１８：ＹＥＳ）、制御部１０１は、本体フレーム１０の取付けが完了した旨のメッセージを含んだ画面イメージを記憶部１０２から読出し、読出した画面イメージを表示指示と共に表示部１０４へ出力する。
【００８６】
表示部１０４は、制御部１０１からの表示指示に従って表示を行うことにより、本体フレーム１０の取付けが完了した旨のメッセージを表示する（ステップＳ１９）。図２１は取付け完了時に表示する表示内容の一例を示す模式図である。図２１に示す例では、本体フレーム１０が取付部材２０に取付けられた旨、及び表示装置から手を放しても大丈夫である旨のメッセージを表示している。また、取付部材２０への取付けが完了した後に、螺子止め等のユーザの作業が必要である場合、その旨を表示する構成としてもよい。
【００８７】
なお、本実施の形態では、取付け完了を検出する検出手段として、光センサ（発光部及び受光部）を用いた構成について説明したが、光センサに代えて、接触センサ又はスイッチ等を用いてもよい。本体フレーム１０の取付け完了位置において、本体フレーム１０の一部と壁掛け金具２２の受片２２ａとが当接するように構成しておき、本体フレーム１０における当接箇所に接触センサ又はスイッチ等を設け、接触センサ又はスイッチ等からの出力信号を取得することにより、取付け完了を判断することができる。
【符号の説明】
【００８８】
１０  本体フレーム
１１  磁気センサ
１２，１２  係止孔
２０  取付部材
２１  磁石
２２  壁掛け金具
１０１  制御部
１０２  記憶部
１０３  検出部
１０４  表示部
１１０  受信部
【図１】
0005535364.tif 000002
【図２】
0005535364.tif 000003
【図３】
0005535364.tif 000004
【図４】
0005535364.tif 000005
【図５】
0005535364.tif 000006
【図６】
0005535364.tif 000007
【図７】
0005535364.tif 000008
【図８】
0005535364.tif 000009
【図９】
0005535364.tif 000010
【図１０】
0005535364.tif 000011
【図１１】
0005535364.tif 000012
【図１２】
0005535364.tif 000013
【図１３】
0005535364.tif 000014
【図１４】
0005535364.tif 000015
【図１５】
0005535364.tif 000016
【図１６】
0005535364.tif 000017
【図１７】
0005535364.tif 000018
【図１８】
0005535364.tif 000019
【図１９】
0005535364.tif 000020
【図２０】
0005535364.tif 000021
【図２１】
0005535364.tif 000022